(57)【要約】【課題】プランジャ孔から液槽部へと吐出される作動液体及び液槽部からプランジャ孔へと吸い込まれる作動液体は絞り部材の絞り孔を通過することになり、この絞り孔は液槽部と各プランジャ孔との間を流通する作動液体の流量を規制し、摩擦索車は低速に回転し、安全な降下速度で脱出降下することができる。【解決手段】ハウジング１に回転軸４を突設し、回転軸に端部に使用者を連結可能な索体Ｗを掛回可能な摩擦索車１０を設け、内ハウジングに放射状に複数個のプランジャ孔６を設け、各プランジャ孔にプランジャ５を摺動自在に配置し、該複数個のプランジャを互いに異なる位相で外方に摺動させるカム体７を設け、外ハウジングと内ハウジングとの間に該複数個のプランジャ孔に連通すると共に作動液体を封入した液槽部８を設け、内ハウジングに液槽部と該各プランジャ孔との間を流通する作動液体の流量を規制する絞り孔９ａをもつ絞り部材９を設けてなる。【選択図】        図２
2004329651.tif 000002
【特許請求の範囲】
【請求項１】
外ハウジングと内ハウジングからなるハウジングに回転軸を突設し、該回転軸に端部に使用者を連結可能な索体を掛回可能な摩擦索車を設け、該内ハウジングに放射状に複数個のプランジャ孔を設け、該各プランジャ孔にプランジャを摺動自在に配置し、該回転軸に該複数個のプランジャを互いに異なる位相で外方に摺動させるカム体を設け、該外ハウジングと内ハウジングとの間に該複数個のプランジャ孔に連通すると共に作動液体を封入した液槽部を設け、該内ハウジングに該液槽部と該各プランジャ孔との間を流通する作動液体の流量を規制する絞り孔をもつ絞り部材を設けて構成したことを特徴とする脱出降下器具。
【請求項２】
上記摩擦索車に上記索体を掛回可能な相互に略Ｖ状をなす対向一対の摩擦掛面からなる略Ｖ溝状の掛回部を設けてなることを特徴とする請求項１記載の脱出降下器具。
【請求項３】
上記摩擦索車を上記索体の一方側面を挟圧可能な摩擦掛面をもつ固定索車及び上記索体の反対側面を挟圧可能な摩擦掛面をもつ可動索車により分割形成して該摩擦索車に上記索体を掛回可能な相互に略Ｖ状をなす対向一対の該摩擦掛面からなる略Ｖ溝状の掛回部を設け、該可動索車を該固定索車に向けて弾圧可能な弾圧機構を設けてなることを特徴とする請求項１記載の脱出降下器具。
【請求項４】
上記ハウジングに上記索体を上記摩擦索車に巻回案内可能な巻回案内部材を設けてなることを特徴とする請求項１〜３のいずれか１項に記載の脱出降下器具。
【請求項５】
上記ハウジングに上記索体を上記摩擦索車に圧接可能な圧接用部材を設けてなることを特徴とする請求項１〜４のいずれか１項に記載の脱出降下器具。
【請求項６】
上記液槽部内の作動液体を蓄積可能なアキュムレータ部を設けてなることを特徴とする請求項１〜５のいずれか１項に記載の記載の脱出降下器具。
【請求項７】
上記ハウジングに建物等に連結可能な連結固定部を設けてなることを特徴とする請求項１〜６のいずれか１項に記載の脱出降下器具。
【請求項８】
上記ハウジングに握持部材を連結可能な補助連結部を設けてなることを特徴とする請求項１〜７のいずれか１項に記載の脱出降下器具。
【発明の詳細な説明】
【０００１】
【発明の属する技術分野】
本発明は例えば緊急非常時に高層建物等から降下避難する際に用いられる脱出降下器具に関するものである。
【０００２】
【従来の技術】
従来、この種の脱出降下器具として、例えば実開昭６４−１２５４８号公報に示す如く、人体支持用のロープを重ね巻きする回転ドラムと、回転ドラムの回転を減速装置を介して制動する制動装置とからなり、この制動装置がシリンダとオリフィスを有するピストンとからなるピストンシリンダ型式となっている構造のものが知られている。
【０００３】
【発明が解決しようとする課題】
しかしながら上記従来構造の場合、予め高層建物等に組み込み設置される構造となっているため、可搬性がなくて、使用の融通性が低下しているとともに装置が大掛かりとなることがあるという不都合を有している。
【０００４】
【課題を解決するための手段】
本発明はこのような課題を解決することを目的とするもので、本発明のうちで、請求項１記載の発明は、外ハウジングと内ハウジングからなるハウジングに回転軸を突設し、該回転軸に端部に使用者を連結可能な索体を掛回可能な摩擦索車を設け、該内ハウジングに放射状に複数個のプランジャ孔を設け、該各プランジャ孔にプランジャを摺動自在に配置し、該回転軸に該複数個のプランジャを互いに異なる位相で外方に摺動させるカム体を設け、該外ハウジングと内ハウジングとの間に該複数個のプランジャ孔に連通すると共に作動液体を封入した液槽部を設け、該内ハウジングに該液槽部と該各プランジャ孔との間を流通する作動液体の流量を規制する絞り孔をもつ絞り部材を設けて構成したことを特徴とする脱出降下器具にある。
【０００５】
又、請求項２記載の発明は、上記摩擦索車に上記索体を掛回可能な相互に略Ｖ状をなす対向一対の摩擦掛面からなる略Ｖ溝状の掛回部を設けてなることを特徴とするものであり、又、請求項３記載の発明は、上記摩擦索車を上記索体の一方側面を挟圧可能な摩擦掛面をもつ固定索車及び上記索体の反対側面を挟圧可能な摩擦掛面をもつ可動索車により分割形成して該摩擦索車に上記索体を掛回可能な相互に略Ｖ状をなす対向一対の該摩擦掛面からなる略Ｖ溝状の掛回部を設け、該可動索車を該固定索車に向けて弾圧可能な弾圧機構を設けてなることを特徴とするものであり、又、請求項４記載の発明は、上記ハウジングに上記索体を上記摩擦索車に巻回案内可能な巻回案内部材を設けてなることを特徴とするものであり、又、請求項５記載の発明は、上記ハウジングに上記索体を上記摩擦索車に圧接可能な圧接用部材を設けてなることを特徴とするものである。
【０００６】
又、請求項６記載の発明は、上記液槽部内の作動液体を蓄積可能なアキュムレータ部を設けてなることを特徴とするものであり、又、請求項７記載の発明は、上記ハウジングに建物等に連結可能な連結固定部を設けてなることを特徴とするものであり、又、請求項８記載に発明は、上記ハウジングに握持部材を連結可能な補助連結部を設けてなることを特徴とするものである。
【０００７】
【発明の実施の形態】
図１乃至図７は本発明の実施の形態例を示し、１はハウジングであって、相互に固着された外ハウジング２と内ハウジング３からなり、外ハウジング２と内ハウジング３とは一体に形成され、この場合、内ハウジング３に軸受ハウジング３ａ固定し、この軸受ハウジング３ａに回転軸４を片持状態に回転自在に横設している。
【０００８】
５はプランジャであって、上記内ハウジング３に放射状に九個のプランジャ孔６を形成し、この各プランジャ孔６にそれぞれプランジャ５を摺動自在に嵌合配置している。
【０００９】
７はカム体であって、この場合、四個のカム凸部７ａが形成され、上記回転軸４に一体に形成され、このカム凸部７ａは上記九個のプランジャ５を互いに異なる位相で外方に摺動させるように構成されている。
【００１０】
８は液槽部であって、上記外ハウジング２と内ハウジング３との間に環状に上記複数個のプランジャ孔６に連通して形成され、この液槽部８内に作動油等の作動液体Ｌを封入して構成している。
【００１１】
９は絞り部材であって、この場合、上記内ハウジング３の各プランジャ孔６に螺着固定して設けられ、液槽部８と各プランジャ孔６との間を流通する作動液体Ｌの流量を規制する絞り孔９ａが形成されている。
【００１２】
１０は摩擦索車であって、この場合、ワイヤーやロープ等の索体Ｗの一方側面を挟圧可能な摩擦掛面Ｓをもつ固定索車１０ａ及び索体Ｗの反対側面を挟圧可能な摩擦掛面Ｓをもつ可動索車１０ｂにより分割形成し、固定索車１０ａを回転軸４にキー４ａ及びナット４ｂにより固定し、可動索車１０ｂを固定索車１０ａに回転軸４の軸線方向に摺動自在に設け、摩擦索車１０に上記索体Ｗを掛回可能な相互に略Ｖ状をなす対向一対の摩擦掛面Ｓ・Ｓからなる略Ｖ溝状の掛回部１０ｃを設け、この可動索車１０ｂを固定索車１０ａに向けて弾圧可能な弾圧機構１１を設けて構成している。
【００１３】
この場合、弾圧機構１１は、上記回転軸４に盤状の押圧部材１２をボルト１３により固定し、押圧部材１２と可動索車１０ｂとの間に複数個の押圧用バネ１４を円周状に配置し、外ハウジング２にカバー１ｂを取り付けて構成している。
【００１４】
１５はアキュムレータ部であって、この場合、外ハウジング２に筒状の蓄圧部１６を突出形成し、この蓄圧部１６に液槽部８に連通する内孔１６ａを形成し、この内穴１６ａに蓄圧用プランジャ１７を摺動自在に設け、内穴１６ａの外方端部にプラグ１８を螺着固定すると共に蓄圧用プランジャ１７とプラグ１８との間に蓄圧用バネ１９を設け、ハウジング１に液量調節口２ａを形成すると共に液量調節口２ａに閉塞プラグ２ｂを螺着して構成している。しかして、プラグ１８を開栓して内孔１６ａから液槽部８内に作動液体Ｌを注入し、蓄圧用プランジャ１７を内穴１６ａに挿入したのち、蓄圧用プランジャ１７に蓄圧用バネ１９を当接した状態でプラグ１８を螺着し、このとき、閉塞プラグ２ｂを取り外して液量調節口２ａから溢液して作動液体Ｌの量を調節し、閉塞プラグ２ｂを螺着して作動液体Ｌを液槽部８及び内孔１６ａに封止するようにしている。
【００１５】
２０は巻回案内部材であって、上記ハウジング１の外ハウジング２に軸受部２１を形成し、軸受部２１に対向一対の案内ロール２２・２２を回転自在に横設し、この案内ロール２２・２２により摩擦索車１０に掛回された索体Ｗを巻回案内するように構成している。
【００１６】
２３は圧接用部材であって、この場合、ねじりコイルバネが用いられ、上記ハウジング１の外ハウジング２に対向位置にして切欠溝部２４・２４を形成し、各切欠溝部２４の対向壁面間に支持ピン２５及び受けピン２６を架設し、ねじりコイルバネである圧接用部材２３のコイル部を支持ピン２５に緩挿し、圧接用部材２３の一方端部を受けピン２６に当接すると共に他方端部を摩擦索車１０に掛回された索体Ｗの表面を弾圧し、切欠溝部２４をカバー１ａにより覆設し、圧接用部材２３により索体Ｗを摩擦索車１０に圧接するように構成している。
【００１７】
２７は連結固定部であって、上記ハウジング１の外ハウジング２に突出形成され、連結固定部２４に建物Ｔ等に止着された支持索体２８に連結される吊金具２７ａを連結可能な連結孔２７ｂを形成してなり、２６は補助連結部であって、上記ハウジング１の外ハウジング２に突出形成され、補助連結部２９に使用者Ｍが握持可能な紐状の握持部材３０を吊下可能な吊下孔３０ａを形成している。
【００１８】
この実施の形態例は上記構成であるから、例えば、図７の如く、ハウジング１の連結固定部２７を吊金具２７ａ及び支持索体２８により建物Ｔに係着し、索体Ｗの一方端部に連結されたベルトＷ１を降下脱出すべき使用者Ｍに連結し、補助連結部２９に取り付けた握持部材３０を降下開始時のみ補助的に握持して降下を開始すると、摩擦索車１０は索体Ｗの降下により回転し、図３、図５の如く、この摩擦索車１０の回転により回転軸４に設けたカム体７が回転し、カム体７の回転により複数個のプランジャ５はカム凸部７ａによりプランジャ孔６内を互いに異なる位相で外方に摺動することになり、このプランジャ５の摺動により図５の如く、各プランジャ孔６は液槽部８を介して連通しているので、各プランジャ５は液槽部８の作動液体Ｌの吸込又は吐出動作を繰り返すことになり、即ち、各プランジャ５のうちの或るプランジャ５はカム体７により液槽部８に吐出動作すると共に他の或るプランジャ５は液槽部８から吸込動作することになり、このとき、プランジャ孔６から液槽部８へと吐出される作動液体Ｌ及び液槽部８からプランジャ孔６へと吸い込まれる作動液体Ｌは絞り部材９の絞り孔９ａを通過することになり、この絞り孔９ａは液槽部８と各プランジャ孔６との間を流通する作動液体Ｌの流量を規制することになり、この絞り作用により摩擦索車１０に回転抵抗が付与され、摩擦索車１０は低速に回転し、安全な降下速度で脱出降下することができる。
【００１９】
この場合、上記摩擦索車１０に上記索体Ｗを掛回可能な相互に略Ｖ状をなす対向一対の摩擦掛面Ｓ・Ｓからなる略Ｖ溝状の掛回部１０ｃを設けてなるから、索体Ｗと摩擦掛面Ｓ・Ｓとの摩擦力を楔作用により大きくすることができ、索体Ｗの降下により摩擦索車１０を確実に回転させることができ、それだけ、安全な降下速度で脱出降下することができ、又、この場合、上記摩擦索車１０を上記索体Ｗの一方側面を挟圧可能な摩擦掛面Ｓをもつ固定索車１０ａ及び上記索体Ｗの反対側面を挟圧可能な摩擦掛面Ｓをもつ可動索車１０ｂにより分割形成して摩擦索車１０に上記索体Ｗを掛回可能な相互に略Ｖ状をなす対向一対の摩擦掛面Ｓ・Ｓからなる略Ｖ溝状の掛回部１０ｃを設け、可動索車１０ｂを固定索車１０ａに向けて弾圧可能な弾圧機構１１を設けてなるから、索体Ｗに連結された使用者Ｍの体重に応じて索体Ｗは摩擦索車１０の半径上を移動し、索体Ｗは弾圧機構１１による弾圧力と釣り合った半径上に位置し、このため、使用者Ｍの体重の大小による降下速度のばらつきを抑制することができ、急速降下を防いで安全な降下速度で脱出降下することができ、又、この場合、上記ハウジング１に上記索体Ｗを上記摩擦索車１０に巻回案内可能な巻回案内部材２０を設けてなるから、索体Ｗの摩擦索車１０に対する巻付角を確実に保持することができ、索体Ｗの降下により摩擦索車１０を確実に回転させることができ、それだけ、安全な降下速度で脱出降下することができ、又、この場合、上記ハウジング１に上記索体Ｗを上記摩擦索車１０に圧接可能な圧接用部材２３を設けてなるから、使用者Ｍの体重に応じて索体Ｗが摩擦索車１０の半径上を移動しても索体Ｗと摩擦掛面Ｓ・Ｓとの接触を保持することができ、索体Ｗの降下により摩擦索車１０を確実に回転させることができ、それだけ、安全な降下速度で脱出降下することができる。
【００２０】
又、この場合、上記液槽部８内の作動液体Ｌを蓄積可能なアキュムレータ部２２を設けているから、作動液体Ｌを蓄積することにより作動液体Ｌの温度変化等による液圧の変化に対応することができ、又、この場合、上記ハウジング１に建物Ｔ等に連結可能な連結固定部２７を設けてなるから、ハウジング１と建物等の取付部位とを迅速に連結することができ、使用の利便性を高めることができ、又、この場合、上記ハウジング１０に握持部材３０を連結可能な補助連結部２９を設けてなるから、建物Ｔ等からの降下開始時に握持部材３０を握持して容易に降下を開始することができ、使用の利便性を高めることができる。
【００２１】
尚、本発明は上記実施の形態例に限られるものではなく、ハウジング１、摩擦索車１０、プランジャ５、カム体７、カム凸部７ａ等の構造や材質、個数等は適宜変更して設計される。
【００２２】
【発明の効果】
本発明は上述の如く、請求項１記載の発明にあっては、ハウジングを建物に係着し、索体の一方端部を降下脱出すべき使用者に連結して降下を開始すると、摩擦索車は索体の降下により回転し、摩擦索車の回転により回転軸に設けたカム体が回転し、カム体の回転により複数個のプランジャはプランジャ孔内を互いに異なる位相で外方に摺動することになり、このプランジャの摺動により各プランジャ孔は液槽部を介して連通しているので、各プランジャは液槽部の作動液体の吸込又は吐出動作を繰り返すことになり、即ち、各プランジャのうちの或るプランジャはカム体により液槽部に吐出動作すると共に他の或るプランジャは液槽部から吸込動作することになり、このとき、プランジャ孔から液槽部へと吐出される作動液体及び液槽部からプランジャ孔へと吸い込まれる作動液体は絞り部材の絞り孔を通過することになり、この絞り孔は液槽部と各プランジャ孔との間を流通する作動液体の流量を規制することになり、この絞り作用により摩擦索車に回転抵抗が付与され、摩擦索車は低速に回転し、安全な降下速度で脱出降下することができる。
【００２３】
又、請求項２記載の発明にあっては、上記摩擦索車に上記索体を掛回可能な相互に略状をなす対向一対の摩擦掛面からなる略溝状の掛回部を設けてなるから、索体と摩擦掛面との摩擦力を楔作用により大きくすることができ、索体の降下により摩擦索車を確実に回転させることができ、それだけ、安全な降下速度で脱出降下することができ、又、請求項３記載の発明にあっては、上記摩擦索車を上記索体の一方側面を挟圧可能な摩擦掛面をもつ固定索車及び上記索体の反対側面を挟圧可能な摩擦掛面をもつ可動索車により分割形成して摩擦索車に上記索体を掛回可能な相互に略Ｖ状をなす対向一対の摩擦掛面からなる略Ｖ溝状の掛回部を設け、可動索車を固定索車に向けて弾圧可能な弾圧機構を設けてなるから、索体に連結された使用者の体重に応じて索体は摩擦索車の半径上を移動し、索体は弾圧機構による弾圧力と釣り合った半径上に位置し、このため、使用者の体重の大小による降下速度のばらつきを抑制することができ、急速降下を防いで安全な降下速度で脱出降下することができ、又、請求項４記載の発明にあっては、上記ハウジングに上記索体を上記摩擦索車に巻回案内可能な巻回案内部材を設けてなるから、索体の摩擦索車に対する巻付角を確実に保持することができ、索体の降下により摩擦索車を確実に回転させることができ、安全な降下速度で脱出降下することができ、又、請求項５記載の発明にあっては、上記ハウジングに上記索体を上記摩擦索車に圧接可能な圧接用部材を設けてなるから、使用者の体重に応じて索体が摩擦索車の半径上を移動しても索体と摩擦掛面との接触を保持することができ、索体の降下により摩擦索車を確実に回転させることができ、それだけ、安全な降下速度で脱出降下することができる。
【００２４】
又、請求項６記載の発明にあっては、上記液槽部内の作動液体を蓄積可能なアキュムレータ部を設けているから、作動液体を蓄積することにより作動液体の温度変化等による液圧の変化に対応することができ、又、請求項７記載の発明にあっては、上記ハウジングに建物等に連結可能な連結固定部を設けてなるから、ハウジングと建物等の取付部位とを迅速に連結することができ、使用の利便性を高めることができ、又、請求項８記載の発明にあっては、上記ハウジングに握持部材を連結可能な補助連結部を設けてなるから、建物等からの降下開始時に握持部材を握持して容易に降下を開始することができ、使用の利便性を高めることができる。
【００２５】
以上、所期の目的を充分達成することができる。
【図面の簡単な説明】
【図１】本発明の実施の形態例の全体斜視図である。
【図２】本発明の実施の形態例の全体側断面図である。
【図３】本発明の実施の形態例の全体横断面図である。
【図４】本発明の実施の形態例の部分横断面図である。
【図５】本発明の実施の形態例の部分拡大横断面図である。
【図６】本発明の実施の形態例の側面図である。
【図７】本発明の実施の形態例の使用状態の側面図である。
【符号の説明】
Ｌ  作動液体
Ｗ  索体
Ｓ  摩擦掛面
１  ハウジング
２  外ハウジング
３  内ハウジング
４  回転軸
５  プランジャ
６  プランジャ孔
７  カム体
８  液槽部
９  絞り部材
９ａ  絞り孔
１０  摩擦索車
１０ａ  固定索車
１０ｂ  可動索車
１１  弾圧機構
１５  アキュムレータ部
２０  巻回案内部材
２３  圧接用部材
２７  連結固定部
２８  支持索体
２９  補助連結部
３０  握持部材
【図１】
2004329651.tif 000003
【図２】
2004329651.tif 000004
【図３】
2004329651.tif 000005
【図４】
2004329651.tif 000006
【図５】
2004329651.tif 000007
【図６】
2004329651.tif 000008
【図７】
2004329651.tif 000009